(57)【要約】【課題】  送信バッファ１１に蓄積されていたパケットの削除によるスループットの低下を防ぎながら、下り方向のパケットの伝送速度を変更することを可能とするパケット通信方法及びパケット通信システムを提供する。【解決手段】  本発明は、所定の伝送速度でパケットを送信するパケット通信システムに関する。本発明に係るパケット通信システムは、所定の伝送速度を（Ｔｘ１からＴｘ２に）変更する際に、パケットを蓄積するための送信バッファ１１の空き状況に応じて、パケットのサイズを変更するパケットサイズ管理部１４を具備する。【選択図】  図３
2004364277.tif 000002
【特許請求の範囲】
【請求項１】
所定の伝送速度でパケットを送信するパケット通信方法であって、
前記所定の伝送速度を変更する際に、前記パケットを蓄積するための送信バッファの空き状況に応じて、前記パケットのサイズを変更することを特徴とするパケット通信方法。
【請求項２】
所定の伝送速度でパケットを送信するパケット通信システムであって、
前記所定の伝送速度を変更する際に、前記パケットを蓄積するための送信バッファの空き状況に応じて、前記パケットのサイズを変更するパケットサイズ管理部を具備することを特徴とするパケット通信システム。
【請求項３】
前記パケットサイズ管理部は、前記送信バッファに蓄積されている前記パケットのデータ量が第１のデータ量閾値以上であるか、又は、前記送信バッファの残量が第１のバッファ残量閾値以下である場合、前記パケットのサイズを変更しないことを特徴とする請求項２に記載のパケット通信システム。
【請求項４】
前記送信バッファに蓄積されている前記パケットのデータ量が第２のデータ量閾値以上であるか、又は、前記送信バッファの残量が第２のバッファ残量閾値以下である場合、前記所定の伝送速度をより高速の伝送速度に変更する伝送速度変更部を具備することを特徴とする請求項２又は３に記載のパケット通信システム。
【請求項５】
前記伝送速度変更部は、前記送信バッファに蓄積されている前記パケットのデータ量が、一定期間継続して前記第２のデータ量閾値以上であるか、又は、前記送信バッファの残量が、一定期間継続して前記第２のバッファ残量閾値以下である場合、前記所定の伝送速度をより高速の伝送速度に変更することを特徴とする請求項４に記載のパケット通信システム。
【発明の詳細な説明】
【技術分野】
【０００１】
本発明は、所定の伝送速度でパケットを送信するパケット通信方法及びパケット通信システムに関する。特に、本発明は、下り方向のピーク伝送速度の高速化や、低伝送遅延化や、高スループット化や、無線リソースの効率化の向上等を目的としたパケット通信技術である「ＨＳＤＰＡ（Ｈｉｇｈ  ｓｐｅｅｄ  ｄｏｗｎｌｉｎｋ  ｐａｃｋｅｔ  ａｃｃｅｓｓ）」方式を用いたパケット通信方法及びパケット通信システムに関する。
【背景技術】
【０００２】
図１に、ＨＳＤＰＡ方式を用いたパケット通信システムを示す。図１に示すように、かかるパケット通信システムは、コアネットワークＣＮと、複数の無線制御装置ＲＮＣ及び無線基地局装置Ｎｏｄｅ  Ｂを含む無線アクセスネットワークＲＡＮとによって構成されている。
【０００３】
また、無線アクセスネットワークＲＡＮは、無線インターフェイスを介して移動機ＵＥと接続されている。図１に示すように、無線アクセスネットワークＲＡＮは、下り方向のパケット伝送用トランスポートチャネル「ＨＳ-ＤＳＣＨ（Ｈｉｇｈ  ｓｐｅｅｄ-Ｄｏｗｎｌｉｎｋ  Ｓｈａｒｅｄ  Ｃｈａｎｎｅｌ）」を移動機ＵＥに送信している。
【０００４】
ここで、図２に示すフローチャートを参照して、従来のパケット通信システムにおいて、下り方向のパケットの伝送速度が変更される様子を説明する（例えば、非特許文献１及び非特許文献２参照）。
【０００５】
図２に示すように、ステップ６０１において、無線アクセスネットワークＲＡＮと移動機ＵＥとの間で、ＨＳ-ＤＳＣＨにマッピングされている論理チャネル「ＤＴＣＨ（Ｄｅｄｉｃａｔｅｄ  Ｔｒａｆｆｉｃ  Ｃｈａｎｎｅｌ）」上で、ＲＬＣ（Ｒａｄｉｏ  Ｌｉｎｋ  Ｃｏｎｔｒｏｌ）コネクションが確立される。ここで、下り方向のパケットの伝送速度（ＨＳ-ＤＳＣＨの伝送速度又はＤＴＣＨの伝送速度）は「Ｔｘ１（３８４ｋｂｐｓ以下）」であり、ＲＬＣコネクションを介して送信されるパケット（ＲＬＣ-ＰＤＵ：Ｒａｄｉｏ  Ｌｉｎｋ  Ｃｏｎｔｒｏｌ-Ｐａｃｋｅｔ  Ｄａｔａ  Ｕｎｉｔ）のサイズは「３３６ｂｉｔｓ」であるものとする。
【０００６】
ステップ６０２において、無線アクセスネットワークＲＡＮは、伝送すべきパケットのデータ量が増加した場合等に、下り方向のパケットの伝送速度を変更する。例えば、下り方向のパケットの伝送速度が「Ｔｘ２（３８４ｋｂｐｓ超）」に変更される。
【０００７】
ステップ６０３において、下り方向のパケットの伝送速度が変更される際に、無線アクセスネットワークＲＡＮと移動機ＵＥとの間のＲＬＣコネクションのＲｅ-ｅｓｔａｂｌｉｓｈｍｅｎｔが発生する。
【０００８】
ステップ６０４において、上述のＲＬＣコネクションのＲｅ-ｅｓｔａｂｌｉｓｈｍｅｎｔ発生後、ＲＬＣ-ＰＤＵのサイズが「６５６ｂｉｔｓ」に変更される。このようなＲＬＣ-ＰＤＵサイズの変更は、伝送効率を考慮したものである。
【非特許文献１】３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ著、  ２５.３２１  Ｖ５.４.０  Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ（Ｒｅｌｅａｓｅ  ５）、２００３年３月
【非特許文献２】３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ著、  ２５.３２２  Ｖ５.４.０  Ｒａｄｉｏ  Ｌｉｎｋ  Ｃｏｎｔｒｏｌ（ＲＬＣ）  ｐｒｏｔｏｃｏｌ  ｓｐｅｃｉｆｉｃａｔｉｏｎ（Ｒｅｌｅａｓｅ  ５）、２００３年３月
【発明の開示】
【発明が解決しようとする課題】
【０００９】
しかしながら、従来のパケット通信システムでは、下り方向のパケットの伝送速度が変更される場合、ＲＬＣコネクションのＲｅ-ｅｓｔａｂｌｉｓｈｍｅｎｔが発生するため、送信バッファに蓄積されていたパケットが削除され、スループットの低下を招くという問題点があった。
【００１０】
本発明は、以上の点に鑑みてなされたもので、送信バッファに蓄積されていたパケットの削除によるスループットの低下を防ぎながら、下り方向のパケットの伝送速度を変更することを可能とするパケット通信方法及びパケット通信システムを提供することを目的とする。
【課題を解決するための手段】
【００１１】
本発明の第１の特徴は、所定の伝送速度でパケットを送信するパケット通信方法であって、前記所定の伝送速度を変更する際に、前記パケットを蓄積するための送信バッファの空き状況に応じて、前記パケットのサイズを変更することを要旨とする。
【００１２】
本発明の第２の特徴は、所定の伝送速度でパケットを送信するパケット通信システムであって、前記所定の伝送速度を変更する際に、前記パケットを蓄積するための送信バッファの空き状況に応じて、前記パケットのサイズを変更するパケットサイズ管理部を具備することを要旨とする。
【００１３】
かかる発明によれば、送信バッファの空き状況に応じて、例えば、送信バッファに蓄積されているパケットのデータ量が多い場合は、パケットのサイズを変更しないことによって、ＲＬＣコネクションのＲｅ-ｅｓｔａｂｌｉｓｈｍｅｎｔによる送信バッファ内のパケットの削除を防ぐことができる。
【００１４】
本発明の第２の特徴において、前記パケットサイズ管理部は、前記送信バッファに蓄積されている前記パケットのデータ量が第１のデータ量閾値以上であるか、又は、前記送信バッファの残量が第１のバッファ残量閾値以下である場合、前記パケットのサイズを変更しないように構成することができる。
【００１５】
また、本発明の第２の特徴において、前記送信バッファに蓄積されている前記パケットのデータ量が第２のデータ量閾値以上であるか、又は、前記送信バッファの残量が第２のバッファ残量閾値以下である場合、前記所定の伝送速度をより高速の伝送速度に変更する伝送速度変更部を具備するように構成することができる。
【００１６】
また、本発明の第２の特徴において、前記伝送速度変更部が、前記送信バッファに蓄積されている前記パケットのデータ量が、一定期間継続して前記第２のデータ量閾値以上であるか、又は、前記送信バッファの残量が、一定期間継続して前記第２のバッファ残量閾値以下である場合、前記所定の伝送速度をより高速の伝送速度に変更するように構成することができる。
【発明の効果】
【００１７】
以上説明したように、本発明によれば、送信バッファ１１に蓄積されていたパケットの削除によるスループットの低下を防ぎながら、下り方向のパケットの伝送速度を変更することを可能とするパケット通信方法及びパケット通信システムを提供することができる。
【発明を実施するための最良の形態】
【００１８】
（本発明の第１の実施形態に係るパケット通信システムの構成）
図３を参照して、本発明の第１の実施形態に係るパケット通信システム内の無線アクセスネットワークＲＡＮの構成について説明する。
【００１９】
本実施形態に係る無線アクセスネットワークＲＡＮは、送信バッファ１１と、送信バッファ管理部１２と、伝送速度管理部１３と、パケットサイズ管理部１４と、送信部１５とを具備する。
【００２０】
送信バッファ１１は、ＲＬＣコネクションを介して移動機ＵＥに伝送すべきパケット（ＲＬＣ-ＰＤＵ）を蓄積するものである。また、送信バッファ１１は、ＲＬＣコネクションを介して移動機ＵＥに再送すべきパケットを蓄積するように構成されていてもよい。また、送信バッファ１１は、蓄積されてから一定期間経過したパケットや、所定回数の再送を行ったパケット等を削除するように構成されていてもよい。
【００２１】
送信バッファ管理部１２は、送信バッファ１１内の空き状況を管理するものである。具体的には、送信バッファ管理部１２は、送信バッファ１１に蓄積されているパケットのデータ量（ビット数又はパケット数）や、送信バッファ１１の残量（空き容量）等を管理するものである。
【００２２】
伝送速度管理部１３は、移動機ＵＥに対する下り方向のパケットの伝送速度を管理するものである。
【００２３】
例えば、図４に示すように、伝送速度管理部１３は、送信バッファ１１に蓄積されているパケットのデータ量ｘが、一定期間継続して第２のデータ量閾値Ｔｈｄ２以上である場合に、下り方向のパケットの伝送速度を、所定の伝送速度Ｔｘ１（例えば、３８４ｋｂｐｓ以下）から、より高速の伝送速度Ｔｘ２（例えば、３８４ｋｂｐｓ超）に変更することができる。
【００２４】
また、伝送速度管理部１３は、送信バッファ１１に蓄積されているパケットのデータ量ｘの所定期間の平均値が、第２のデータ量閾値Ｔｈｄ２以上である場合に、下り方向のパケットの伝送速度を、所定の伝送速度Ｔｘ１から、より高速の伝送速度Ｔｘ２に変更することができる。
【００２５】
また、図４に示すように、伝送速度管理部１３は、送信バッファ１１の残量Ｂｒが、一定期間継続して第２のバッファ残量閾値Ｔｈｂｒ２以下である場合に、下り方向のパケットの伝送速度を、所定の伝送速度Ｔｘ１から、より高速の伝送速度Ｔｘ２に変更することができる。
【００２６】
また、伝送速度管理部１３は、送信バッファ１１の残量Ｂｒの所定期間の平均値が、第２のバッファ残量閾値Ｔｈｂｒ２以下である場合に、下り方向のパケットの伝送速度を、所定の伝送速度Ｔｘ１から、より高速の伝送速度Ｔｘ２に変更することができる。
【００２７】
このように、伝送速度管理部１３は、伝送すべきパケットのデータ量が増加した場合に、下り方向のパケットの伝送速度をより高速の伝送速度に変更することができる。
【００２８】
また、伝送速度管理部１３は、移動局ＵＥとの間の無線伝搬路状況が改善された場合等の所定条件が満たされた場合に、下り方向のパケットの伝送速度をより高速の伝送速度に変更するように構成されていてもよい。
【００２９】
パケットサイズ管理部１４は、ＲＬＣコネクション上で移動機ＵＥに対して送信するパケットのサイズ（すなわち、ＲＬＣ-ＰＤＵのサイズ）を管理するものである。
【００３０】
また、パケットサイズ管理部１４は、下り方向のパケットの伝送速度を変更する際に、ＲＬＣコネクションのＲｅ-ｅｓｔａｂｌｉｓｈｍｅｎｔを発生させ、上述のパケットのサイズを変更するように構成されている。
【００３１】
原則、パケットサイズ管理部１４は、下り方向のパケットの伝送速度が、所定の伝送速度Ｔｘ１から高速の伝送速度Ｔｘ２に変更する場合、上述のパケットのサイズを大きくするように構成されている。例えば、かかる場合、パケットサイズ管理部１４は、上述のパケットのサイズを「３３６ｂｉｔｓ」から「６５６ｂｉｔｓ」に変更する。
【００３２】
しかしながら、図４に示すように、パケットサイズ管理部１４は、下り方向のパケットの伝送速度を変更する場合であっても、送信バッファ１１に蓄積されているパケットのデータ量ｘが、第１のデータ量閾値Ｔｈｄ１以上である場合には、ＲＬＣコネクションのＲｅ-ｅｓｔａｂｌｉｓｈｍｅｎｔを発生させず、上述のパケットのサイズを変更しないように構成されている。
【００３３】
また、図４に示すように、パケットサイズ管理部１４は、下り方向のパケットの伝送速度を変更する場合であっても、送信バッファ１１の残量Ｂｒが、第１のバッファ残量閾値Ｔｈｂｒ１以下である場合には、ＲＬＣコネクションのＲｅ-ｅｓｔａｂｌｉｓｈｍｅｎｔを発生させず、上述のパケットのサイズを変更しないように構成されている。
【００３４】
このように、パケットサイズ管理部１４は、送信バッファ１１に蓄積されているパケットのデータ量が多い場合（すなわち、送信バッファ１１の空き容量が少ない場合）は、パケットのサイズを変更しないことによって、ＲＬＣコネクションのＲｅ-ｅｓｔａｂｌｉｓｈｍｅｎｔによる送信バッファ内のパケットの削除を防ぐことができる。
【００３５】
送信部１５は、伝送速度管理部１３によって指示された伝送速度で、かつ、パケットサイズ管理部１４によって指示されたＲＬＣ-ＰＤＵのサイズで、移動機ＵＥに対してパケットを送信するものである。
【００３６】
なお、送信バッファ１１と送信バッファ管理部１２と伝送速度管理部１３とパケットサイズ管理部１４と送信部１５とは、無線アクセスネットワークＲＡＮを構成する無線制御装置ＲＮＣ又は無線基地局装置Ｎｏｄｅ  Ｂのいずれかに設けられていればよい。
【００３７】
（本実施形態に係るパケット通信方法）
図５及び図６を参照して、本実施形態に係るパケット通信方法において、下り方向のパケットの伝送速度を変更する動作を説明する。
【００３８】
図５に示すように、ステップ３０１において、無線アクセスネットワークＲＡＮと移動機ＵＥとの間で、ＲＬＣコネクションが確立される。ここで、下り方向のパケットの伝送速度は「Ｔｘ１（３８４ｋｂｐｓ以下）」であり、ＲＬＣ-ＰＤＵのサイズは「３３６ｂｉｔｓ」であるものとする。
【００３９】
ステップ３０２において、無線アクセスネットワークＲＡＮの伝送速度管理部１３は、送信バッファ１１に蓄積されているパケットのデータ量ｘが、第２のデータ量閾値Ｔｈｄ２以上であるか否かについて判定する。データ量ｘが第２のデータ量閾値Ｔｈｄ２以上である場合、本フローはステップ３０３に進み、データ量ｘが第２のデータ量閾値Ｔｈｄ２以上でない場合、本フローはステップ３０２を繰り返す。
【００４０】
ステップ３０３において、伝送速度管理部１３は、下り方向のパケットの伝送速度を変更する。すなわち、下り方向のパケットの伝送速度が「Ｔｘ２（３８４ｋｂｐｓ超）」に変更される。
【００４１】
ステップ３０４において、無線アクセスネットワークＲＡＮのパケットサイズ管理部１４は、送信バッファ１１に蓄積されているパケットのデータ量ｘが、第１のデータ量閾値Ｔｈｄ１以上であるか否かについて判定する。データ量ｘが第１のデータ量閾値Ｔｈｄ１以上でない場合、本フローはステップ３０５に進み、データ量ｘが第１のデータ量閾値Ｔｈｄ１以上である場合、本フローはステップ３０４を繰り返す。
【００４２】
ステップ３０５において、無線アクセスネットワークＲＡＮと移動機ＵＥとの間のＲＬＣコネクションのＲｅ-ｅｓｔａｂｌｉｓｈｍｅｎｔが発生する。
【００４３】
ステップ３０６において、上述のＲＬＣコネクションのＲｅ-ｅｓｔａｂｌｉｓｈｍｅｎｔ発生後、ＲＬＣ-ＰＤＵのサイズが「６５６ｂｉｔｓ」に変更される。
【００４４】
また、本実施形態に係るパケット通信方法は、図６に示すように、図５に示すステップ３０２及び３０４を、ステップ４０２及び４０４に変更することによって、下り方向のパケットの伝送速度を変更するように構成されていてもよい。
【００４５】
図６に示すように、ステップ４０２では、無線アクセスネットワークＲＡＮの伝送速度管理部１３は、送信バッファ１１の残量Ｂｒが、第２のバッファ残量閾値Ｔｈｂｒ２以下であるか否かについて判定する。送信バッファ１１の残量Ｂｒが第２のバッファ残量閾値Ｔｈｂｒ２以下である場合、本フローはステップ４０３に進み、送信バッファ１１の残量Ｂｒが第２のバッファ残量閾値Ｔｈｂｒ２以下でない場合、本フローはステップ４０２を繰り返す。
【００４６】
また、ステップ４０４では、無線アクセスネットワークＲＡＮのパケットサイズ管理部１４は、送信バッファ１１の残量Ｂｒが、第１のバッファ残量閾値Ｔｈｂｒ１以下であるか否かについて判定する。送信バッファ１１の残量Ｂｒが第１のバッファ残量閾値Ｔｈｂｒ１以下でない場合、本フローはステップ４０５に進み、送信バッファ１１の残量Ｂｒが第１のバッファ残量閾値Ｔｈｂｒ１以下である場合、本フローはステップ４０４を繰り返す。
【００４７】
次に、図７乃至図９を参照して、下り方向のパケットの伝送速度を変更する際の無線アクセスネットワークＲＡＮの動作について、プロトコルアーキテクチャの観点から説明する。
【００４８】
第１に、図７の例について説明する。ステップ７０１において、無線アクセスネットワークＲＡＮのＲＬＣレイヤのプロトコル機能（ＲＬＣ  ｅｎｔｉｔｙ）は、送信バッファ１１に蓄積されているＲＬＣコネクションを介して移動機ＵＥに伝送（又は再送）すべきＲＬＣ-ＰＤＵのデータ量ｘを監視する。
【００４９】
ステップ７０２において、ＲＬＣレイヤのプロトコル機能は、送信バッファ１１において所定条件が満たされた場合、例えば、送信バッファ１１内のＲＬＣ-ＰＤＵのデータ量ｘが一定期間継続して第２のデータ量閾値Ｔｈｄ２以上である場合、又は、送信バッファ１１の残量Ｂｒが一定期間継続して第２のバッファ残量閾値Ｔｈｂｒ２以下である場合に、当該ＲＬＣコネクションに対応するＤＴＣＨの伝送速度を、所定の伝送速度Ｔｘ１から、より高速の伝送速度Ｔｘ２に変更するように、ＭＡＣレイヤのプロトコル機能（ＭＡＣ  ｅｎｔｉｔｙ）に指示する。
【００５０】
ステップ７０３において、ＭＡＣレイヤのプロトコル機能は、ＲＬＣレイヤのプロトコル機能からの指示に応じて、当該ＤＴＣＨにマッピングされているＨＳ−ＤＳＣＨの伝送速度を、所定の伝送速度Ｔｘ１から、より高速の伝送速度Ｔｘ２に変更するように、物理レイヤのプロトコル機能に指示する。
【００５１】
物理レイヤのプロトコル機能は、ＭＡＣレイヤのプロトコル機能からの指示に応じて、ＨＳ−ＤＳＣＨにマッピングされている物理チャネルの伝送速度を、所定の伝送速度Ｔｘ１から、より高速の伝送速度Ｔｘ２に変更する。
【００５２】
ステップ７０４において、ＲＬＣレイヤのプロトコル機能は、ＭＡＣレイヤのプロトコル機能に対して、ＤＴＣＨの伝送速度の変更を指示した場合に、送信バッファ１１内のＲＬＣ-ＰＤＵのデータ量ｘの測定結果を、上位レイヤのプロトコル機能に通知する。
【００５３】
ステップ７０５において、上位レイヤのプロトコル機能は、送信バッファ１１内のＲＬＣ-ＰＤＵのデータ量ｘが第１のデータ量閾値Ｔｈｄ１以上であるか否かについて、又は、送信バッファ１１の残量Ｂｒが第１のバッファ残量閾値Ｔｈｂｒ１以下であるか否かについて判断する。
【００５４】
送信バッファ１１内のＲＬＣ-ＰＤＵのデータ量ｘが第１のデータ量閾値Ｔｈｄ１以上でない場合、又は、送信バッファ１１の残量Ｂｒが第１のバッファ残量閾値Ｔｈｂｒ１以下でない場合、上位レイヤのプロトコル機能は、ＲＬＣレイヤのプロトコル機能に対して、ＲＬＣ-ＰＤＵのサイズを変更するように指示するＲｅ-ｅｓｔａｂｌｉｓｈ要求を通知する。
【００５５】
一方、送信バッファ１１内のＲＬＣ-ＰＤＵのデータ量ｘが第１のデータ量閾値Ｔｈｄ１以上である場合、又は、送信バッファ１１の残量Ｂｒが第１のバッファ残量閾値Ｔｈｂｒ１以下である場合、上位レイヤのプロトコル機能は、ＲＬＣレイヤのプロトコル機能に対して、Ｒｅ-ｅｓｔａｂｌｉｓｈ要求を通知しない。
【００５６】
ステップ７０６において、ＲＬＣレイヤのプロトコル機能は、上位レイヤのプロトコル機能からのＲｅ-ｅｓｔａｂｌｉｓｈ要求に応じて、Ｒｅ-ｅｓｔａｂｌｉｓｈ処理を行う。
【００５７】
具体的には、ＲＬＣレイヤのプロトコル機能は、送信バッファ１１内の全てのＲＬＣ-ＰＤＵを廃棄した後、移動局ＵＥにおけるＲＬＣレイヤのプロトコル機能との間で、新たなＲＬＣコネクションを設定する。
【００５８】
なお、新たに設定されたＲＣＬコネクション上で送信されるＲＬＣ-ＰＤＵのサイズは、Ｒｅ-ｅｓｔａｂｌｉｓｈ要求によって指示されたサイズに変更されており、通常、以前のＲＣＬコネクション上で送信されるＲＬＣ-ＰＤＵのサイズよりも大きい。
【００５９】
第２に、図８の例について説明する。ステップ８０１において、無線アクセスネットワークＲＡＮのＲＬＣレイヤのプロトコル機能は、送信バッファ１１に蓄積されているＲＬＣコネクションを介して移動機ＵＥに伝送（又は再送）すべきＲＬＣ-ＰＤＵのデータ量ｘを監視する。
【００６０】
ステップ８０２において、ＲＬＣレイヤのプロトコル機能は、所定周期で、送信バッファ１１内のＲＬＣ-ＰＤＵのデータ量ｘの測定結果を、上位レイヤに通知する。
【００６１】
ステップ８０３において、上位レイヤのプロトコル機能は、ＲＬＣレイヤのプロトコル機能からの測定結果に応じて、ＲＬＣコネクション上で送信するＲＬＣ-ＰＤＵの伝送速度及びサイズを変更すべきか否かについて判断する。
【００６２】
上位レイヤのプロトコル機能は、送信バッファ１１において所定条件が満たされた場合、ＲＬＣレイヤのプロトコル機能に対して、ＲＬＣ-ＰＤＵの伝送速度及びサイズを変更するように指示するＲｅ-ｅｓｔａｂｌｉｓｈ要求を通知する。
【００６３】
例えば、送信バッファ１１内のＲＬＣ-ＰＤＵのデータ量ｘが、一定期間継続して第２のデータ量閾値Ｔｈｄ２以上であり、かつ、送信バッファ１１内のＲＬＣ-ＰＤＵのデータ量ｘが、第１のデータ量閾値Ｔｈｄ１未満である場合に、上位レイヤのプロトコル機能は、ＲＬＣレイヤのプロトコル機能に対して、Ｒｅ-ｅｓｔａｂｌｉｓｈ要求を通知する。
【００６４】
また、送信バッファ１１の残量Ｂｒが、一定期間継続して第２のバッファ残量閾値Ｔｈｂｒ２以下であり、かつ、送信バッファ１１の残量Ｂｒが、第１のバッファ残量閾値Ｔｈｂｒ１以下でない場合に、上位レイヤのプロトコル機能は、ＲＬＣレイヤのプロトコル機能に対して、Ｒｅ-ｅｓｔａｂｌｉｓｈ要求を通知する。
【００６５】
その他の場合、上位レイヤのプロトコル機能は、ＲＬＣレイヤのプロトコル機能に対して、Ｒｅ-ｅｓｔａｂｌｉｓｈ要求を通知しない。
【００６６】
ステップ８０４において、ＲＬＣレイヤのプロトコル機能は、上位レイヤのプロトコル機能からのＲｅ-ｅｓｔａｂｌｉｓｈ要求に応じて、当該ＲＬＣコネクションに対応するＤＴＣＨの伝送速度を、所定の伝送速度Ｔｘ１から、より高速の伝送速度（Ｒｅ-ｅｓｔａｂｌｉｓｈ要求において指示されている伝送速度）Ｔｘ２に変更するように、ＭＡＣレイヤのプロトコル機能に指示する。
【００６７】
ステップ８０５において、ＭＡＣレイヤのプロトコル機能は、ＲＬＣレイヤのプロトコル機能からの指示に応じて、当該ＤＴＣＨにマッピングされているＨＳ−ＤＳＣＨの伝送速度を、所定の伝送速度Ｔｘ１から、より高速の伝送速度Ｔｘ２に変更するように、物理レイヤのプロトコル機能に指示する。
【００６８】
物理レイヤのプロトコル機能は、ＭＡＣレイヤのプロトコル機能からの指示に応じて、ＨＳ−ＤＳＣＨにマッピングされている物理チャネルの伝送速度を、所定の伝送速度Ｔｘ１から、より高速の伝送速度Ｔｘ２に変更する。
【００６９】
ステップ８０６において、ＲＬＣレイヤのプロトコル機能は、上述のステップ７０６と同様に、ステップ上位レイヤのプロトコル機能からのＲｅ-ｅｓｔａｂｌｉｓｈ要求に応じて、Ｒｅ-ｅｓｔａｂｌｉｓｈ処理を行う。
【００７０】
第３に、図９の例について説明する。ステップ９０１において、無線アクセスネットワークＲＡＮのＲＬＣレイヤのプロトコル機能は、送信バッファ１１に蓄積されているＲＬＣコネクションを介して移動機ＵＥに伝送（又は再送）すべきＲＬＣ-ＰＤＵのデータ量ｘを監視する。
【００７１】
ここで、ＲＬＣレイヤのプロトコル機能は、送信バッファ１１内のＲＬＣ-ＰＤＵのデータ量ｘの測定結果に応じて、ＲＬＣコネクション上で送信するＲＬＣ-ＰＤＵの伝送速度及びサイズを変更すべきか否かについて判断する。
【００７２】
ＲＬＣレイヤのプロトコル機能は、送信バッファ１１において所定条件が満たされた場合、ステップ９０２において、ＭＡＣレイヤのプロトコル機能に対して、ＲＬＣ-ＰＤＵの伝送速度を変更するように指示する。
【００７３】
例えば、送信バッファ１１内のＲＬＣ-ＰＤＵのデータ量ｘが、一定期間継続して第２のデータ量閾値Ｔｈｄ２以上である場合に、又は、送信バッファ１１の残量Ｂｒが、一定期間継続して第２のバッファ残量閾値Ｔｈｂｒ２以下である場合に、ＲＬＣレイヤのプロトコル機能は、当該ＲＬＣコネクションに対応するＤＴＣＨの伝送速度を、所定の伝送速度Ｔｘ１から、より高速の伝送速度Ｔｘ２に変更するように、ＭＡＣレイヤのプロトコル機能に指示する。
【００７４】
ステップ９０３において、ＭＡＣレイヤのプロトコル機能は、ＲＬＣレイヤのプロトコル機能からの指示に応じて、当該ＤＴＣＨにマッピングされているＨＳ−ＤＳＣＨの伝送速度を、所定の伝送速度Ｔｘ１から、より高速の伝送速度Ｔｘ２に変更するように、物理レイヤのプロトコル機能に指示する。
【００７５】
物理レイヤのプロトコル機能は、ＭＡＣレイヤのプロトコル機能からの指示に応じて、ＨＳ−ＤＳＣＨにマッピングされている物理チャネルの伝送速度を、所定の伝送速度Ｔｘ１から、より高速の伝送速度Ｔｘ２に変更する。
【００７６】
ステップ９０４において、ＲＬＣレイヤのプロトコル機能は、ＭＡＣレイヤのプロトコル機能に対して、ＤＴＣＨの伝送速度の変更を指示した場合に、送信バッファ１１内のＲＬＣ-ＰＤＵのデータ量ｘが第１のデータ量閾値Ｔｈｄ１以上であるか否かについて、又は、送信バッファ１１の残量Ｂｒが第１のバッファ残量閾値Ｔｈｂｒ１以下であるか否かについて判断する。
【００７７】
送信バッファ１１内のＲＬＣ-ＰＤＵのデータ量ｘが第１のデータ量閾値Ｔｈｄ１以上でない場合、又は、送信バッファ１１の残量Ｂｒが第１のバッファ残量閾値Ｔｈｂｒ１以下でない場合、ＲＬＣレイヤのプロトコル機能は、上述のステップ７０６と同様に、Ｒｅ-ｅｓｔａｂｌｉｓｈ処理を行う。
【００７８】
一方、送信バッファ１１内のＲＬＣ-ＰＤＵのデータ量ｘが第１のデータ量閾値Ｔｈｄ１以上である場合、又は、送信バッファ１１の残量Ｂｒが第１のバッファ残量閾値Ｔｈｂｒ１以下である場合、ＲＬＣレイヤのプロトコル機能は、上述のＲｅ-ｅｓｔａｂｌｉｓｈ処理を行わない。
【００７９】
（本実施形態に係るパケット通信システム及びパケット通信方法の作用・効果）
本実施形態に係るパケット通信システム及びパケット通信方法によれば、送信バッファ１１の空き状況に応じて、例えば、送信バッファ１１に蓄積されているパケットのデータ量ｘが多い場合（すなわち、送信バッファ１１の空き容量Ｂｒが少ない場合）は、パケットのサイズを変更しないことによって、ＲＬＣコネクションのＲｅ-ｅｓｔａｂｌｉｓｈｍｅｎｔによる送信バッファ内のパケットの削除を防ぐことができる。
【図面の簡単な説明】
【００８０】
【図１】無線アクセスネットワークを含むパケット通信システムの全体構成図である。
【図２】従来技術に係る無線アクセスネットワークにおいて、パケットの伝送速度及びサイズを変更する動作を示すフローチャート図である。
【図３】本発明の一実施形態に係る無線アクセスネットワークの機能ブロック図である。
【図４】本発明の一実施形態に係る無線アクセスネットワークにおける送信バッファを説明するための図である。
【図５】本発明の一実施形態に係る無線アクセスネットワークにおいて、パケットの伝送速度及びサイズを変更する動作を示すフローチャート図である。
【図６】本発明の一実施形態に係る無線アクセスネットワークにおいて、パケットの伝送速度及びサイズを変更する動作を示すフローチャート図である。
【図７】本発明の一実施形態に係る無線アクセスネットワークにおいて、プロトコルアーキテクチャから見たパケットの伝送速度及びサイズを変更する動作の一例を示すシーケンス図である。
【図８】本発明の一実施形態に係る無線アクセスネットワークにおいて、プロトコルアーキテクチャから見たパケットの伝送速度及びサイズを変更する動作の一例を示すシーケンス図である。
【図９】本発明の一実施形態に係る無線アクセスネットワークにおいて、プロトコルアーキテクチャから見たパケットの伝送速度及びサイズを変更する動作の一例を示すシーケンス図である。
【符号の説明】
【００８１】
ＣＮ…コアネットワーク
ＲＡＮ…無線アクセスネットワーク
ＲＮＣ…無線制御装置
Ｎｏｄｅ  Ｂ…無線基地局装置
ＵＥ…移動機
１１…送信バッファ
１２…送信バッファ管理部
１３…伝送速度管理部
１４…パケットサイズ管理部
１５…送信部
【図１】
2004364277.tif 000003
【図２】
2004364277.tif 000004
【図３】
2004364277.tif 000005
【図４】
2004364277.tif 000006
【図５】
2004364277.tif 000007
【図６】
2004364277.tif 000008
【図７】
2004364277.tif 000009
【図８】
2004364277.tif 000010
【図９】
2004364277.tif 000011